(57)【要約】【課題】  使用者と通信ユニットの間にバックグラウンドノイズのない音声信号を送信することができるワイヤレストランシーバ装置の提供。【解決手段】  本発明は、トランシーバユニットと、通信ユニットと、無線受信ユニットと、スイッチユニットとを含むワイヤレストランシーバ装置である。スイッチユニットが通信ユニットに接続されている。トランシーバユニットは、人の声を第一の信号に変えることが可能な皮膚接触型マイクを含んでいる。通信ユニットは第二の信号を発信可能であり、無線受信ユニットは第二の信号を受信可能である。ワイヤレストランシーバ装置が第一の状態にあるとき、スイッチユニットは第一の信号（無線送信の形式）をトランシーバユニットから受信し、この受信した信号を通信ユニットへ送ることができる。ワイヤレストランシーバ装置が第二の状態にあるとき、スイッチユニットは第二の信号を通信ユニットから受信し、この受信した信号をトランシーバユニットへ送ることができ、最後にトランシーバユニットが信号を無線受信ユニットへ送る。【選択図】  図１
0003103898.tif 000002
【実用新案登録請求の範囲】
【請求項１】
ワイヤレストランシーバ装置であって、
ａ．皮膚接触型マイクを含み、人声を第一の信号に変換することができるトランシーバユニットと、
ｂ．第二の信号を送信することができる通信ユニットと、
ｃ．前記第二の信号を受信するための無線受信ユニットと、
ｄ．前記トランシーバユニットに接続されたスイッチユニットと、
を含み、前記ワイヤレストランシーバ装置が第一の状態にあるとき、前記スイッチユニットは前記第一の信号を前記トランシーバユニットから受信して、この受信した信号を前記通信ユニットへと送り；前記ワイヤレストランシーバ装置が第二の状態にあるとき、前記スイッチユニットは前記第二の信号を前記通信ユニットから受信して、この受信した信号を前記トランシーバユニットへと送り、更に無線受信ユニットへと送る、ワイヤレストランシーバ装置。
【請求項２】
無線受信ユニットがワイヤレス受話器である、請求項１に記載のワイヤレストランシーバ装置。
【請求項３】
通信ユニットが携帯電話である、請求項１又は２に記載のワイヤレストランシーバ装置。
【請求項４】
ワイヤレストランシーバ装置であって、
ａ．皮膚接触型マイクを含み、人声を第一の信号に変換することができる無線送信ユニットと、
ｂ．第二の信号を送信するための通信ユニットと、
ｃ．前記第二の信号を受信するための無線受信ユニットと、
ｄ．前記無線受信ユニットに接続されたスイッチユニットと、
を含み、前記ワイヤレストランシーバ装置が第一の状態にあるとき、前記スイッチユニットは前記第一の信号を前記無線送信ユニットから受信して、この受信した信号を前記通信ユニットへ送り；前記ワイヤレストランシーバ装置が第二の状態にあるとき、前記スイッチユニットは前記第二の信号を前記通信ユニットから受信して、この受信した信号を前記無線送信ユニットへ送り、更に無線受信ユニットへ送る、ワイヤレストランシーバ装置。
【請求項５】
無線受信ユニットがワイヤレス受話器である、請求項４に記載のワイヤレストランシーバ装置。
【請求項６】
通信ユニットが携帯電話である、請求項４又は５に記載のワイヤレストランシーバ装置。
【考案の詳細な説明】
【技術分野】
【０００１】
本考案は、ワイヤレストランシーバ装置に関し、特に皮膚接触型（skin-touch）マイクと受話器とを備えたワイヤレストランシーバ装置に関する。
【背景技術】
【０００２】
従来の移動通信デバイスは、空中を伝達される音波を拾うマイクを用いて使用者の声を受け取っているため、バックグラウンドノイズが通信の質や効率に重大な影響を及ぼす虞があり、また実際重大な影響を及ぼしている。更に、市販されている携帯電話は信号を送るために受話器とマイクを使っている。市販されている受話器やマイクの多くは信号を送るのに有線式電気回路に拠っている。有線式受話器やマイクは使用者には不便である。本考案はコードレスの機構を用いて、即ち皮膚接触型マイクとワイヤレス受話器とを備えたワイヤレストランシーバ装置を用いてこの不便さを解消しようとするものである。
【考案の開示】
【考案が解決しようとする課題】
【０００３】
本考案の目的は、ワイヤレストランシーバ装置を用いて使用者と通信ユニットの間にバックグラウンドノイズのない音声信号を送信しようとするものである。
【課題を解決するための手段】
【０００４】
このワイヤレストランシーバ装置は、ワイヤレストランシーバユニットと、スイッチユニットと、無線受信ユニットと、通信ユニットとを含む。ワイヤレストランシーバユニットは人の声を第一の信号に変え、通信ユニットは第二の信号を発信可能である。
【０００５】
ワイヤレストランシーバ装置が第一の状態にあるとき、スイッチユニットは第一の信号をトランシーバユニットから無線送信の形態で受信することができ、そしてこの受信した信号を通信ユニットへ送ることができる。
【０００６】
ワイヤレストランシーバ装置が第二の状態にあるとき、スイッチユニットは第二の信号を通信ユニットから受信することができ、そしてこの受信した信号をトランシーバユニットへ送ることができ、ここから更に無線受信ユニットへ送られる。
【考案の効果】
【０００７】
本考案ワイヤレストランシーバ装置によれば、使用者と通信ユニットの間にバックグランドノイズのない音声信号を送信することができる。
【考案を実施するための最良の形態】
【０００８】
第一の実施形態
図１を参照されたい。図１は、ワイヤレストランシーバユニット１１０、スイッチユニット１２０、無線受信ユニット１３０、及び通信ユニット１４０を含むワイヤレストランシーバ装置１００を示す。トランシーバユニット１１０は、人の声を第一の信号に変えることができ、通信ユニット１４０は第二の信号を発信可能である。
【０００９】
トランシーバ装置１００が第一の状態にあるとき、スイッチユニット１２０は第一の信号をトランシーバユニット１１０から受信することができ、そしてこの受信した信号を通信ユニット１４０へ送ることができる。
【００１０】
トランシーバ装置１００が第二の状態にあるとき、スイッチユニット１２０は第二の信号を通信ユニット１４０から受信することができ、そしてこの受信した信号をトランシーバユニット１１０へ送ることができ、ここから更に無線受信ユニット１３０へ送られる。
【００１１】
上の実施形態において、通信ユニット１４０は携帯電話、双方向無線式あるいは他の方式の遠隔通信デバイスであることができる。無線受信ユニット１３０はワイヤレス受話器、ワイヤレススピーカフォン、その他のワイヤレスの音声発生デバイスであることができる。このワイヤレストランシーバ装置１００の動作及び構成については、下の図３、４Ａ、５Ａに関する項により詳細に記載される。
【００１２】
図３において、無線受信ユニット３００（図１の無線受信ユニット１３０、図２の無線受信ユニット２３０に対応）は、音声出力デバイス３１０、信号コーデック（コーダとデコーダ）３２０、マイクロコントローラ３３０、一方向無線受信モジュール３４０、信号受信用のアンテナ３４５、バッテリ３６０及びバッテリ再充電回路３７０を含む。
【００１３】
図４Ａにおいて、ワイヤレストランシーバユニット４００（図１のトランシーバユニット１１０に対応）は、皮膚接触型マイク４１０、信号コーデック４２０、マイクロコントローラ４３０、ワイヤレス送信モジュール４４０、信号送信用のアンテナ４４５、ワイヤレストランシーバモジュール４５０、バッテリ４６０、信号送受信用のアンテナ４５５、バッテリ４６０及びバッテリ再充電回路４７０を含む。
【００１４】
図５Ａは、通信ユニット５１０（図１の通信ユニット１４０に対応）とスイッチユニット５００（図１のスイッチユニット１２０に対応）を示す。スイッチユニット５００は信号コーデック５２０、マイクロコントローラ５３０、ワイヤレストランシーバモジュール５４０、信号送受信用のアンテナ５４５、バッテリ５６０及びバッテリ再充電回路５７０を含む。
【００１５】
通信ユニット５１０が受信した信号は次の順序で流れる。信号コーデック５２０へ、次いでマイクロコントローラ５３０へ、更にトランシーバモジュール５４０へ、そしてアンテナ５４５を経由してアンテナ４５５へ。
【００１６】
アンテナ４５５が受信した信号は次の順序で流れる。マイクロコントローラ４３０へ、次いでトランシーバモジュール４４０へ、そしてアンテナ回路４４５を経由して無線受信ユニット３００のアンテナ回路３４５へ。
【００１７】
アンテナ回路３４５が受信した信号は次の順序で流れる。無線受信モジュール３４０へ、次いでマイクロコントローラ３３０へ、次いで信号コーデック３２０へ、次いで音声出力デバイス３１０へ。最終的には、使用者は音声出力デバイス３１０（例えばワイヤレス受話器等）からの音声を聞くことができる。
【００１８】
皮膚接触型マイク４１０が受取った使用者の発話は次の順序で流れる。信号コーデック４２０へ、次いでマイクロコントローラ４３０へ、次いでワイヤレス送信モジュール４５０へ、そしてアンテナ回路４５５を経由してユニット３００のアンテナ３４５へ。
【００１９】
アンテナ３４５が受信した信号は次の順序で流れる。無線受信モジュール３４０へ、次いでマイクロコントローラ３３０へ、次いで信号コーデック３２０へ、そして最終的にワイヤレス受話器等の音声出力デバイス３１０へ。
【００２０】
第二の実施形態
図２は、無線送信ユニット２１０、スイッチユニット２２０、無線受信ユニット２３０、及び通信ユニット２４０を含むワイヤレストランシーバ装置２００を示す。無線送信ユニット２１０は、人の声を第一の信号に変えることができ、通信ユニット２４０は第二の信号を発信可能である。
【００２１】
ワイヤレストランシーバ装置２００が第一の状態にあるとき、スイッチユニット２２０は第一の信号１を無線送信ユニット２１０から受信することができ、そしてこの受信した信号１を通信ユニット２４０へ送ることができる。
【００２２】
ワイヤレストランシーバ装置２００が第二の状態にあるとき、スイッチユニット２２０は第二の信号２を通信ユニット２４０から受信することができ、そしてこの受信した信号２を無線受信ユニット２３０へ送ることができる。
【００２３】
上の実施形態において、通信ユニット２４０は携帯電話、双方向無線式あるいは他の方式の遠隔通信デバイスであることができる。無線受信ユニット２３０はワイヤレス受話器、ワイヤレススピーカフォン、その他のワイヤレスの音声発生デバイスであることができる。このワイヤレストランシーバ装置２００の動作及び構成については、下の図３、４Ｂ、５Ｂに関する項により詳細に記載される。
【００２４】
図３において、無線受信ユニット３００（図１の無線受信ユニット１３０、図２の無線受信ユニット２３０に対応）は、音声出力デバイス３１０、信号コーデック（コーダとデコーダ）３２０、マイクロコントローラ３３０、無線受信モジュール３４０、信号受信用のアンテナ３４５、バッテリ３６０及びバッテリ再充電回路３７０を含む。
【００２５】
図４Ｂにおいて、ワイヤレストランシーバユニット４００（図２のトランシーバユニット２１０に対応）は、皮膚接触型マイク４１０、信号コーデック４２０、マイクロコントローラ４３０、ワイヤレストランシーバモジュール４５０、アンテナ４５５、バッテリ４６０及びバッテリ再充電回路４７０を含む。
【００２６】
図５Ｂは、通信ユニット５１０（図２の通信ユニット２４０に対応）とスイッチユニット５００（図２のスイッチユニット２２０に対応）を示す。スイッチユニット５００は、信号コーデック５２０、マイクロコントローラ５３０、ワイヤレストランシーバモジュール５４０、アンテナ５４５、無線送信モジュール５５０、アンテナ５５５、バッテリ５６０及びバッテリ再充電回路５７０を含む。
【００２７】
通信ユニット５１０が受信した信号は次の順序で流れる。信号コーデック５２０へ、次いでマイクロコントローラ５３０へ、更に無線送信モジュール５５０へ、そして最後にアンテナ５５５を経由して無線受信ユニット３００のアンテナ回路３４５へ。
【００２８】
アンテナ３４５が受信した信号は次の順序で流れる。無線受信モジュール３４０へ、次いでマイクロコントローラ３３０及び信号コーデック３２０へ、そして最後に音声出力デバイス３１０へ（例えばワイヤレス受話器等）送られ、使用者に対して音声が出力される。  
【００２９】
皮膚接触型マイク４１０が受取った使用者の発話は次の順序で流れる。信号コーデック４２０へ、次いでマイクロコントローラ４３０へ、次いでトランシーバモジュール４５０へ、そして最後にアンテナ４５５を経由してスイッチユニット５００のアンテナ５４５へ。
【００３０】
アンテナ５４５が受信した信号は次の順序で流れる。トランシーバモジュール５４０へ、次いでマイクロコントローラ５３０へ、次いで信号コーデック５２０へ、そして最終的に通信ユニット５１０へ。
【００３１】
第一実施形態と第二実施形態の主な差は、第二実施形態においては、無線受信ユニット２３０（図２参照）はスイッチユニット２２０から第二の信号を直接受信し、第一実施形態においては、無線受信ユニット１３０（図１参照）は、信号を送信するための仲介としてトランシーバユニット１１０（図１参照）を必要とすることである。
【００３２】
更に、本発明では、移動通信デバイスにおいて必要とされる便利さと小型化を達成するためにスイッチユニットと通信ユニットを組み合わせてもよい。例えば、「ブルートゥース」ワイヤレスモジュールを携帯電話に組み込むことができる。これは、面倒な電線によって携帯電話に接続しなければならない伝統的なハンズフリーヘッドセットを使用することによる不便さをなくすことができる。
【００３３】
上の記載には多くの具体的な細部が示されているが、本発明をそのような細部又は範囲に限定することを意図するものではない。それらは、本発明の種々の可能な物理構成を説明することのみを目的として提供されたものである。本発明の範囲は添付の請求の範囲及びその均等の範囲によって決定される。
【図面の簡単な説明】
【００３４】
【図１】本発明の第一実施形態によるワイヤレストランシーバ装置を示す。
【図２】本発明の第二実施形態によるワイヤレストランシーバ装置を示す。
【図３】本発明の無線受信ユニットを示す。
【図４Ａ】本発明のワイヤレストランシーバ装置の第一実施形態によるワイヤレストランシーバユニットを示す。
【図４Ｂ】本発明のワイヤレストランシーバ装置の第二実施形態によるワイヤレス送信ユニットを示す。
【図５Ａ】本発明のワイヤレストランシーバ装置の第一実施形態によるスイッチユニットと通信ユニットを示す。
【図５Ｂ】本発明のワイヤレストランシーバ装置の第二実施形態によるスイッチユニットと通信ユニットを示す。
【符号の説明】
【００３５】
１００、２００：ワイヤレストランシーバ装置
１１０：トランシーバユニット
１２０、２２０：スイッチユニット
１３０、２３０：無線受信ユニット
１４０、２４０、５１０：通信ユニット
２１０：無線送信ユニット
３２０、４２０、５２０：信号コーデック
３３０、４３０、５３０：マイクロコントローラ
３４０：無線受信モジュール
３６０、４６０、５６０：バッテリ
３７０、４７０、５７０：バッテリ再充電回路
４４０：無線送信モジュール
４５０、５４０：トランシーバモジュール
５５０：無線送信モジュール
【図１】
0003103898.tif 000003
【図２】
0003103898.tif 000004
【図３】
0003103898.tif 000005
【図４Ａ】
0003103898.tif 000006
【図４Ｂ】
0003103898.tif 000007
【図５Ａ】
0003103898.tif 000008
【図５Ｂ】
0003103898.tif 000009